(57)【特許請求の範囲】
【請求項１】
記録媒体に記録された画像データを読み取る画像データ読取手段と、
少なくともプリント枚数の情報を併せて記録することができる所定の記録形式で記録された画像データであるか否かを、読み取った画像データの各々に関して判別する判別手段と、
前記判別手段による判別結果を基に、前記画像データ読取手段により読み取った画像データが前記所定の記録形式によって記録された画像データであるか否かを画像データ毎に知らせる通知手段とを備えることを特徴とする写真現像処理装置。
【請求項２】
前記通知手段は、前記判別手段による判別結果を基に、所定の記録形式で記録された画像データとそれ以外の画像データとが識別できるように、前記画像データ読取手段により読み取った画像データの一覧を表示するための一覧画像を作成し、当該一覧画像を表示装置に表示することを特徴とする請求項１記載の写真現像処理装置。
【請求項３】
前記一覧画像は、画像データのファイル名が一覧表示されたものであって、所定の記録形式で記録された画像データのファイル名をそれ以外の記録形式で記録された画像データのファイル名とを異なる色で表示することを特徴とする請求項２記載の写真現像処理装置。
【請求項４】
前記一覧画像は、画像データを間引いたサムネイル画像及びそのファイル名が一覧表示されたものであって、所定の記録形式で記録された画像データのファイル名をそれ以外の記録形式で記録された画像データのファイル名とを異なる色で表示することを特徴とする請求項２記載の写真現像処理装置。
【請求項５】
コンピュータを、記録媒体に記録された画像データを読み取る画像データ読取手段、
少なくともプリント枚数の情報を併せて記録することができる所定の記録形式で記録された画像データであるか否かを、読み取った画像データの各々に関して判別する判別手段、
前記判別手段による判別結果を基に、前記画像データ読取手段により読み取った画像データが前記所定の記録形式によって記録された画像データであるか否かを画像データ毎に知らせる通知手段として機能させることを特徴とする写真現像処理プログラム。
【発明の詳細な説明】
【０００１】
【発明の属する技術分野】
本発明は、写真現像処理装置及び写真現像処理プログラムに関する。
【０００２】
【従来の技術】
近年、ディジタルカメラで撮像した画像の中からプリントしたい画像や枚数などの情報、自動送信したい画像の指定や送信先の情報、自動再生したい画像の指定情報などをメモリカード、フロッピーディスクなどの記録媒体上に画像データと併せて記録するＤＰＯＦ（Digital Print Order Format）規格が知られている。以下、ＤＰＯＦ規格によって記録された画像データを「ＤＰＯＦ画像」と呼び、通常の記録形式を含むＤＰＯＦ規格以外の記録形式によって記録された画像データを「非ＤＰＯＦ画像」と呼ぶ。ＤＰＯＦ規格によれば、ユーザによって、ディジタルカメラの液晶画面で、プリントしたい画像、送信したい画像、自動再生したい画像などが指定されると、指定されたこれらの情報が画像データと併せて記録媒体上に記録される。そのため、ユーザは、家庭用のプリンタにメモリカードをセットするだけで、インデックスプリント、マルチサイズプリントなどを簡単に行うことができる。また、ユーザは、メモリカードなどのプリントサービスを行っているフォトショップに、予めプリント枚数などの指定を行ったＤＰＯＦ画像を記録する記録媒体を差し出すだけで、所望する枚数の写真を得ることができる。
【０００３】
周知のように、ディジタルカメラによって撮像された画像は、ディジタルカメラに装填されたコンパクトフラッシュに直接記録されたり、パソコンに取り込まれた後ＣＤ−Ｒなどの記録媒体上に記録される。全てのディジタルカメラが、このＤＰＯＦ規格に対応しているわけではなく、ディジタルカメラの中には、ＤＰＯＦ規格に対応していない機種も数多く存在する。そのため、１枚の記録媒体をＤＰＯＦ対応のディジタルカメラと非ＤＰＯＦ対応のディジタルカメラとの間で使いまわして使用すると、その記録媒体上に、ＤＰＯＦ画像と非ＤＰＯＦ画像とが混在して記録される。また、ＤＰＯＦ画像と非ＤＰＯＦ画像とが混在する記録媒体上には、ユーザの編集作業などによって、同一の画像データに関してＤＰＯＦ規格によって記録されたものと、ＤＰＯＦ規格以外の記録形式によって記録されたものとが存在する可能性がある。そのため、記録媒体上に記録された全ての画像を一括してプリント処理してしまうと、同一の画像データに関してＤＰＯＦ画像と非ＤＰＯＦ画像が重複してプリントされてしまう。
【０００４】
また、このような重複プリントを避けるために、ＤＰＯＦ画像のみを選択してプリントすると、非ＤＰＯＦ画像が全くプリントされないため、ＤＰＯＦ規格以外の記録形式でのみ記録された画像データがプリントされない事態を招いてしまう。
【０００５】
そのため、ＤＰＯＦ画像と非ＤＰＯＦ画像とが混在する記録媒体上の画像データを過不足なくプリントするためには、記録媒体に記録されている各画像データに対して、ＤＰＯＦ画像とＤＰＯＦ以外の規格によって重複して記録されていないか、あるいはＤＰＯＦ規格以外の記録形式でのみ記録された画像であるかなどをチェックする作業が必要となる。
【０００６】
【発明が解決しようとする課題】
しかしながら、従来の写真現像機では、ＤＰＯＦ画像のプリントに対応していたものは存在したが、記録された各画像データがＤＰＯＦ画像であるか、あるいは非ＤＰＯＦ画像であるかをユーザに通知するような機能は何ら備えられていなかった。先にも述べたように、ＤＰＯＦ自体を例えば、メモリカードをプリント装置入力部に挿入するだけで、プリントを行えるように具現化された形式とも言える。このため、ＤＰＯＦ画像をその形式に沿ってプリントさせた場合、記録された画像データの中に、非ＤＰＯＦ画像が存在するか否かを一々、オペレータがチェックしていく必要がある。チェックして非ＤＰＯＦ画像であることが確認されて、初めてプリント出力を指示することになる。このようなチェック作業は、フォトショップのオペレータに多大な負担を与えていた。特に、日々膨大な枚数の写真プリントを行わなければならないフォトショップにおいては、上記のようなチェック作業は多大な時間がかかってしまい、フォトショップの作業効率を大幅に低下させる結果を招いていた。
【０００７】
本発明は、上記課題を解決するためになされたものであり、ＤＰＯＦ規格のような所定の記録形式によって記録された画像データとそれ以外の記録形式によって記録された画像データとが混在する記録媒体上の画像データを過不足なくプリントするために行うチェック作業の手間を大幅に軽減することができる写真現像処理装置及び写真現像処理プログラムを提供することを目的としている。
【０００８】
【課題を解決するための手段】
本発明に係る写真現像処理装置は、記録媒体に記録された画像データを読み取る画像データ読取手段と、少なくともプリント枚数の情報を併せて記録することができる所定の記録形式で記録された画像データであるか否かを、読み取った画像データの各々に関して判別する判別手段と、前記判別手段による判別結果を基に、前記画像データ読取手段により読み取った画像データが前記所定の記録形式によって記録された画像データであるか否かを画像データ毎に知らせる通知手段とを備えることを特徴とするものである。
【０００９】
この場合、記録媒体から読み取られた画像データが、判別手段により、所定の記録形式で記録された画像データであるか否かが判別される。そして、その判別結果を基に、通知手段により、各画像データに関して、少なくとも各画像のプリント枚数を併せて記録する所定の記録形式で記録された画像データであるか否かが通知される。
【００１０】
そのため、所定の記録形式が記録された画像データと通常の画像データとが混在する記録媒体上の画像データをプリントする場合、どの画像データが所定の記録形式で記録されたものであるのかを容易に知ることができ、記録媒体上の画像データを過不足なくプリントするためのチェック作業の手間を大幅に軽減することができる。
【００１１】
また、前記通知手段は、前記判別手段による判別結果を基に、所定の記録形式で記録された画像データとそれ以外の画像データとが識別できるように、前記画像データ読取手段により読み取った画像データの一覧を表示するための一覧画像を作成し、当該一覧画像を表示装置に表示することが好ましい。
【００１２】
この場合、所定の記録形式で記録された画像データであるのかが判別できるように画像データの一覧画像が作成され表示装置に表示される。そのため、所定の記録形式で記録された画像データとそれ以外の記録形式で記録された画像データとを一目で識別することができるため、記録媒体に記録された画像データを過不足なくプリントするためのチェック作業の手間が大幅に軽減されることとなる。
【００１３】
また、前記一覧画像は、画像データのファイル名が一覧表示されたものであって、所定の記録形式で記録された画像データのファイル名をそれ以外の記録形式で記録された画像データのファイル名とを異なる色で表示することが好ましい。
【００１４】
この場合、所定の記録形式で記録された画像データのファイル名と所定の記録形式以外の記録形式で記録された画像データのファイル名とは、異なる色が付されて表示装置に表示されるため、オペレータは、画像データの記録形式をそのファイル名に付された色によって一目で識別することができる。
【００１５】
また、前記一覧画像は、画像データを間引いたサムネイル画像及びそのファイル名が一覧表示されたものであって、所定の記録形式で記録された画像データのファイル名をそれ以外の記録形式で記録された画像データのファイル名とを異なる色で表示することが好ましい。
【００１６】
この場合、記録媒体中に記録されている画像データがサムネイル画像として表示装置に一覧表示されるため、写真現像処理装置のオペレータは、画像データの記録内容と、その画像データが所定の記録形式で記録された画像データであるか否かの識別とを同時に行うことができる。
【００１７】
また、本発明に係る写真現像処理プログラムは、コンピュータを、記録媒体に記録された画像データを読み取る画像データ読取手段、少なくともプリント枚数の情報を併せて記録することができる所定の記録形式で記録された画像データであるか否かを、読み取った画像データの各々に関して判別する判別手段、前記判別手段による判別結果を基に、前記画像データ読取手段により読み取った画像データが前記所定の記録形式によって記録された画像データであるか否かを画像データ毎に知らせる通知手段として機能させることを特徴とするものである。
【００１８】
【発明の実施の形態】
図１は、本発明に係る写真現像処理装置１の一構成例を示す図である。写真現像処理装置１はフィルム（ネガ、ポジ）からラインＣＣＤスキャナで読み取られた画像データ、ディジタルカメラで撮影された画像データ、パソコンで作成された画像データ等の画像を、感光材（印画紙）に露光させるレーザ光走査装置１００と、ロール状に巻回された印画紙を収納し、所定サイズに切断して露光部であるレーザ光走査装置１００に供給する感光材収納部２００と、レーザ光走査装置１００で露光された印画紙を現像、漂白定着及び安定処理する現像部３００及び安定処理された印画紙を乾燥する乾燥部４００と、レーザ光走査装置１００、感光材収納部２００、現像部３００及び乾燥部４００等の動作を制御する制御部５００とを備えている。
【００１９】
感光材収納部２００はレーザ光走査装置１００の、例えば下部に設けられており、ロール状に巻回された印画紙を感光させないように内蔵した印画紙マガジン２０１が交換可能に収納されている。印画紙マガジン２０１が感光材収納部２００に装填されると、印画紙が印画紙マガジン２０１から繰り出され、カッタ（図略）により所定の寸法に切断された後、レーザ光走査装置１００に搬送される。
【００２０】
レーザ光走査装置１００は、レーザビーム発生部と、該レーザビーム発生部で発生したレーザの強度を変調するレーザ強度変調部材と、強度変調されたレーザビームを所定の走査線上で走査させるポリゴンミラーやｆθレンズ等で構成されている。
【００２１】
現像部３００により現像、漂白定着及び安定処理された印画紙は、乾燥部４００に搬送され、乾燥処理された後、乾燥部４００の上部の排出口４０１から、第１搬送ベルト４０２上に排出される。第１搬送ベルト４０２は、例えば１本のフィルムに撮影されているコマ数分の印画紙が積み重ねられる。そして、印画紙は第１搬送ベルト４０２により第２搬送ベルト４０３上に移送され、第２搬送ベルト４０３上に保持される。第２搬送ベルト４０３は、第１搬送ベルト４０２から移送される毎に所定長だけ前進され、これにより、フィルム複数本分の写真（乾燥済みの印画紙）を載置することができる。
【００２２】
図２は、制御部５００の正面からの外観を示す図であり、図３は制御部５００のハードウェア構成を示すブロック図である。
【００２３】
制御部５００は、通常用いられるプログラム記憶式コンピュータであり、キーボード５３１、マウス５３２を含みユーザからの入力を受け付ける入力部５３０と、液晶パネル又はＣＲＴ（陰極線管）によって構成され、ユーザに対して表示を行う表示装置５１０と、プログラムファイル、画像ファイルなどを記録するＨＤＤ５６１、ＦＤＤ５６２、ＣＤ−ＲＯＭドライブ５６３を含む補助記憶装置５６０と、プログラムおよび用いられるデータをプログラムの実行に際し一時的に記憶する主記憶部（ＲＡＭ）５２０と、入力部５３０、表示装置５１０、補助記憶装置５６０等を制御しつつ主記憶部５２０上にロードされているプログラムを実行する中央演算部（ＣＰＵ）５４０とを備えている。
【００２４】
本発明に係る写真現像処理装置１は、ＣＤ−ＲＯＭ５６４等に格納された本発明に係る写真現像処理プログラムを、ＨＤＤ５６１上にインストールして、主記憶部（ＲＡＭ）５２０に読み出して、中央演算部（ＣＰＵ）５４０を用いて逐次実行することによって実現される。
【００２５】
図４は、写真現像処理装置１のブロック構成図の一例を示している。写真現像処理装置１は、画像データ取得部５４１と、判別部５４２と、一覧画像作成部５４３と、表示制御部５４４と、画像データ記憶部５２１とを備える。
【００２６】
画像データ取得部５４１は、入力部５３０を介してオペレータの操作指令に基づいて、補助記憶装置５６０に装填されたフラッシュメモリやＣＤ−Ｒなどの記録媒体Ｍを読み込み、記録媒体Ｍに記録されている画像データを画像データ記憶部５２１に記憶する。
【００２７】
図５は、ＤＰＯＦ画像を記録した記録媒体Ｍのディレクトリ構造の一例を示している。図５に示すように、この記録媒体Ｍは、ＤＣＩＭ規格に準拠したディジタルカメラで撮像された画像データを記録しているため、画像データを記録する画像ファイル群ＣＧは、ルートディレクトリ「ｒｏｏｔ」の下の階層のディレクトリ「ＤＣＩＭ」の更に下の階層のディレクトリ「１００ＡＢＣＤ」及び「１０１ＡＢＣＤ」、・・・に記録されている。なお、ＤＣＩＭ規格以外の規格によって撮像された画像データは、ディレクトリ「ＤＣＩＭ」とは異なるディレクトリが作成されそこに記録される。
【００２８】
また、ＤＰＯＦ画像の付随情報を記憶するファイル群ＥＦは、「ｒｏｏｔ」の下の階層のディレクトリ「ＭＩＳＣ」に記憶されている。ファイル群ＥＦには、「ＡＵＴＰＲＩＮＴＭＲＫ」、「ＡＵＴＸＦＥＲＭＲＫ」、「ＡＵＴＰＬＡＹＭＲＫ」などのファイルが含まれる。「ＡＵＴＰＲＩＮＴＭＲＫ」ファイルは、自動プリントファイルと呼ばれ、ＤＰＯＦ画像を記憶するファイルのファイル名、そのファイルの記録媒体上での記録場所及び各画像のプリント枚数などを記憶する。同一ファイル名の画像データが記録媒体Ｍの異なる場所に存在する場合、その画像データは、ＤＰＯＦ及びＤＰＯＦ以外の記録形式によって重複して記録されていることとなる。この場合、ＡＵＴＰＲＩＮＴＭＲＫファイルに記録されている記録場所に記録されている方の画像データがＤＰＯＦ画像であり、ＡＵＴＰＲＩＮＴＭＲＫファイルに記録されていない記録場所に記録されている方の画像データが、非ＤＰＯＦ画像となる。
【００２９】
「ＡＵＴＸＦＥＲＭＲＫ」は、自動送信ファイルと呼ばれ、インターネットなどの通信回線を介して撮像した画像を転送する場合の転送先のアドレスを記憶している。「ＡＵＴＰＬＡＹＭＲＫ」は、自動再生ファイルと呼ばれ、撮像した画像をプロジェクターなどを用いて自動再生する際の再生時間などの情報を記憶する。
【００３０】
判別部５４２は、画像データ取得部５４１で読み取った画像データがＤＰＯＦ画像であるか非ＤＰＯＦ画像であるかを、記録媒体Ｍに記録されている各種ファイルの情報を読み取ることにより判別する。詳細には、「ＪＰＧ」や「ＴＩＦＦ」などの画像データを記録するファイルであることを意味する拡張子が付与されているファイルを検索することにより記録媒体Ｍに記録されている全て画像データのファイル名及びそのファイル名を有するファイルの記録場所を取得する。そして、取得した画像データのファイル名及びファイルの記録場所を「ＡＵＴＰＲＩＮＴＭＲＫ」ファイルに記録されている情報と照合することにより、ＤＰＯＦ画像であるか否かを判断する。すなわち、取得した画像データのファイル名及びその記録場所が「ＡＵＴＰＲＩＮＴＭＲＫ」ファイルに記載されていれば、その画像データはＤＰＯＦ画像であると判断し、「ＡＵＴＰＲＩＮＴＭＲＫ」ファイルに記載されていなければ、その画像データは非ＤＰＯＦ画像であると判断する。
【００３１】
一覧画像作成部５４３は、インデックス画像作成部５４３１とファイル名一覧画像作成部５４３２とを備える。
【００３２】
インデックス画像作成部５４３１は、記録媒体Ｍに記録されている画像データと、その画像データに付与されたファイル名とを読み出し、読み出した画像データに対して間引き処理を施してサムネイル画像を作成し、画像データの枚数に基づいてサムネイル画像とそのファイル名とのレイアウト編集を行い、各サムネイル画像の下にその画像データのファイル名が表示されるようにインデックス画像を作成する。このインデックス画像は、一般的に称される紙面上にプリントされるインデックス画像ではなく、表示装置５１０の画面上に表示されるインデックス画像である。そのため、以下、インデックス画像を、一般に称されるインデックス画像と区別するためにインデックス画像（表示画面上）と表現する。インデックス画像作成部５４３１は、判別部５４２の判別結果に基づいて、ＤＰＯＦ画像のサムネイル画像の外縁を所定の色が付された外枠で囲むとともに、ＤＰＯＦ画像のサムネイル画像の下に表示されるその画像データのファイル名に付す色を、非ＤＰＯＦ画像のサムネイル画像の下に表示される画像データのファイル名に付す色とは異なる色を付してインデックス画像（表示画面上）を作成する。
【００３３】
ファイル名一覧画像作成部５４３２は、記録媒体Ｍに記録されている各画像データのファイル名を読み出し、読み出したファイル名を一覧表示するファイル名一覧画像を作成する。そして、ファイル名一覧画像作成部５４３２は、判別部５４２による判別結果を基に、ＤＰＯＦ画像のファイル名と非ＤＰＯＦ画像のファイル名とに異なる色を付して、ファイル名一覧表示画像を作成する。
【００３４】
表示制御部５４４は、一覧画像作成部５４３で作成されたインデックス画像（表示画面上）とファイル名一覧表示画像とを表示装置５１０に出力する。また、表示制御部５４４は、入力部５３０を介してオペレータの操作指令に基づいて、インデックス画像（表示画面上）とファイル名一覧表示画像とを切り替える。
【００３５】
次に、図６に示すフローチャートに従って、写真現像処理装置１の動作について説明する。
【００３６】
まず、記録媒体Ｍが補助記憶装置５６０に装填され、入力部５３０を介して記録媒体Ｍの読み込み指示がされると、画像データ取得部５４１により、記録媒体Ｍに記録されている種々のデータが読み込まれ、画像データ記憶部５２１に記憶される（ステップＳ１）。
【００３７】
次いで、判別部５４２により、記録媒体Ｍに記録されている画像データがＤＰＯＦ画像であるか否かの判別される（ステップＳ２）。判別部５４２が行う処理を図７に示すフローチャートに従って説明する。まず、拡張子として画像データを意味するファイル名が与えられているファイルが検索され、記録媒体Ｍに記録されている全ての画像データのファイル名及びその記録場所が取得される（ステップＳ２１）。次いで、「ＡＵＴＰＲＩＮＴＭＲＫ」ファイルを参照することにより、ＤＰＯＦ画像のファイル名及びその記録場所が取得される（ステップＳ２２）。次いで、ステップＳ２１で取得された全ての画像データのファイル名及びそのファイル名が与えられているファイルの記録場所と、ステップＳ２２で取得されたＤＰＯＦ画像のファイル名及びその記録場所とが比較され、各画像データに関してＤＰＯＦ画像及び非ＤＰＯＦ画像のいずれであるかが特定される（ステップＳ２３）。すなわち、取得した画像データのファイル名及びその記録場所が「ＡＵＴＰＲＩＮＴＭＲＫ」ファイルに記載されていれば、その画像データは、ＤＰＯＦ画像と判断され、「ＡＵＴＰＲＩＮＴＭＲＫ」ファイルに記載されていなければ、その画像データは、非ＤＰＯＦ画像である判断される。
【００３８】
次いで、図６に戻り、インデックス画像作成部５４３により、インデックス画像（表示画面上）が作成される（ステップＳ３）。図８は、インデックス画像作成部５４３２によって作成されたインデックス画像（表示画面上）の一例を示した図である。図８に示すように、このインデックス画像（表示画面上）には、サムネイル画像ＳＧが複数行複数列で表示されている。各サムネイル画像ＳＧの下には、そのサムネイル画像の画像データのファイル名ＦＮが表示されている。サムネイル画像ＳＧ１２とサムネイル画像ＳＧ２１とは、ファイル名がＦＮが共に「ＢＢＢ．ＪＰＧ」である。これは、記録媒体Ｍに画像データＢＢＢ．ＪＰＧがＤＰＯＦ規格によって記録されるとともに、ＤＰＯＦ規格以外の規格によっても記録されているためである。
【００３９】
図８において、サムネイル画像ＳＧ１１及びＳＧ１２はＤＰＯＦ画像であり、サムネイル画像ＳＧ２１及びＳＧ２２は非ＤＰＯＦ画像である。そのため、インデックス画像作成部５４３によって、サムネイル画像ＳＧ１１及びＳＧ１２の外縁には、所定の色、例えば赤色の外枠ＣＷが表示されている。また、インデックス画像作成部５４３によって、サムネイル画像ＳＧ１１及びＳＧ１２の下側に表示されたファイル名「ＡＡＡ．ＪＰＧ」及び「ＢＢＢ．ＪＰＧ」が、非ＤＰＯＦ画像のファイル名(サムネイル画像ＳＧ２１及びＳＧ２２の下側に表示されたファイル名「ＢＢＢ．ＪＰＧ」及び「ＣＣＣ．ＪＰＧ」)と異なる色で表示されている。そのため、オペレータは、インデックス画像（表示画面上）を見ることにより、どの画像データがＤＰＯＦ画像であり、どの画像データが非ＤＰＯＦ画像であるかを一目で判別することができ、記録媒体Ｍに記録された画像データを過不足なくプリントするためのチェック作業に費やされる手間が大幅に軽減されることとなる。
【００４０】
次いで、ファイル名一覧画像作成部５４３２により、ＤＰＯＦ画像と非ＤＰＯＦ画像とが識別可能なように、記録媒体Ｍに記録された画像データのファイル名を一覧表示するファイル名一覧画像が作成される（ステップＳ４）。図９は、ファイル名一覧示画像表示部５４３２によって作成されたファイル名一覧画像の一例を示した図である。アイコンＩＣの右側には、「ＣｏｍｐａｃｔＦｌａｓｈ」と表示されており、コンパクトフラッシュから画像データを読み取ったことが示されている。なお、他の記録媒体、例えばＣＤ−Ｒから画像データを読み取った場合は、アイコンＩＣの右側には「ＣＤ−Ｒ」と表示される。アイコンＩＣから引出線ＨＬが上下方向に表示され、引出線ＨＬから所定間隔で右方向に複数の枝線ＢＬが表示されている。各枝線ＢＬの右側には、「ＡＡＡ．ＪＰＧ」、「ＢＢＢ．ＪＰＧ」、「ＣＣＣ．ＪＰＧ」・・・というように記録媒体Ｍに記録されている画像データのファイル名が表示されている。「ＢＢＢ．ＪＰＧ」が２つ表示されているのは、画像データＢＢＢ．ＪＰＧが、ＤＰＯＦ規格及びＤＰＯＦ規格以外の記録形式によって記録されているためである。図９では、「ＡＡＡ．ＪＰＧ」と上側から２つ目に表示された「ＢＢＢ．ＪＰＧ」とは、共にＤＰＯＦ画像である。そのため、「ＡＡＡ．ＪＰＧ」と上から２つ目に表示された「ＢＢＢ．ＪＰＧ」とは、ＤＰＯＦ画像であることを示すために所定の色、例えば赤色などで表示されている。また、上から３つ目に表示された「ＢＢＢ．ＪＰＧ」と「ＣＣＣ．ＪＰＧ」とは、非ＪＰＯＦ画像である。そのため、この「ＢＢＢ．ＪＰＧ」と「ＣＣＣ．ＪＰＧ」とは、非ＪＰＯＦ画像であることを示すために所定の色、例えば黒色で表示されている。図９では、省略しているが、他の画像データに関しても同様に、ＤＰＯＦ画像のファイル名は赤色で表示され、非ＤＰＯＦ画像のファイル名は黒色で表示されている。そのため、オペレータは、ファイル名一覧画像を見ると、どの画像データがＤＰＯＦ画像であり、どの画像データが非ＤＰＯＦ画像であるかを一目で判別することができるため、記録媒体Ｍに記録された画像データを過不足なくプリントするためのチェック作業に費やされる手間が大幅に軽減されることとなる。
【００４１】
次いで、表示制御部５４４によって、インデックス画像（表示画面上）が表示装置５１０に出力され、表示装置５１０には、図８で示すようなインデックス画像（表示画面上）が表示される（ステップＳ５）。
【００４２】
次いで、オペレータによって入力部５３０を介してインデックス画像（表示画面上）をファイル名一覧画像に切り替える指示がされると（ステップＳ６でＹＥＳ）、表示制御部５４４によって、表示装置５１０上に表示されているインデックス画像（表示画面上）がファイル名一覧画像に切り替えられて表示される（ステップＳ７）。
【００４３】
次いで、オペレータによって入力部５３０を介してファイル名一覧画像をインデックス画像（表示画面上）に切り替える指示がされると（ステップＳ８でＹＥＳ）、ステップＳ５に戻り表示装置５１０上にインデックス画像（表示画面上）が表示される。
【００４４】
以上のようにして、写真現像処理装置１は、ＤＰＯＦ画像と非ＤＰＯＦ画像とが識別可能なようにインデックス画像（表示画面上）とファイル名一覧画像とを作成し、表示装置に表示する。
【００４５】
なお、上記実施形態では、ファイル名一覧画像において、ＤＰＯＦ画像のファイル名に対して非ＤＰＯＦ画像のファイル名に異なる色を付すことにより、ＤＰＯＦ画像及び非ＤＰＯＦ画像とを識別表示したが、本発明はこれに限定されず、例えば図１０に示すように、ＤＰＯＦ画像のファイル名を表示する欄の右側にＤＰＯＦ画像であることを示すアイコンＩＣＸを表示してもよい。また、図１１に示すように、ＤＰＯＦ画像と非ＤＰＯＦ画像とのフォルダＦ１及びＦ２を表示し、ＤＰＯＦ画像は、フォルダＦ１の下にそのファイル名を一覧表示し、非ＤＰＯＦ画像はフォルダＦ２の下にそのファイル名を一覧表示してもよい。
【００４６】
【発明の効果】
以上説明したように、本発明によれば、記録媒体に記録されている全ての画像データに関して、所定の記録形式で記録された画像又はそれ以外の記録形式によって記録された画像であるかを判別し、その判別結果を通知手段によって通知するため、記録媒体に記録された画像データを過不足なくプリントするためのチェック作業に費やされる手間を大幅に軽減することができる。
【図面の簡単な説明】
【図１】  本発明に係る写真処理装置の一構成例を示す図である。
【図２】  制御部の正面からの外観を示す図である。
【図３】  図３は制御部のハードウェア構成を示すブロック図である。
【図４】  本実施形態に係る写真現像処理装置のブロック構成図である。
【図５】  記録媒体のディレクトリ構造の一例を示している。
【図６】  写真現像処理装置の動作を示すフローチャートである。
【図７】  判別部が行う処理を示したフローチャートである。
【図８】  インデックス画像（表示画面上）の一例を示した図である。
【図９】  ファイル名一覧画像の一例を示した図である。
【図１０】  ファイル名一覧画像の一例を示した図である。
【図１１】  ファイル名一覧画像の一例を示した図である。
【符号の説明】
１  写真現像処理装置
１００  レーザ光走査装置
２００  感光材収納部
２０１  印画紙マガジン
３００  現像部
４００  乾燥部
５００  制御部
５１０  表示装置
５２０  主記憶部
５２１  画像データ記憶部
５３０  入力部
５３１  キーボード
５３２  マウス
５４１  画像データ取得部
５４２  判別部
５４３  インデックス画像作成部
５４３  一覧画像作成部
５４４  表示制御部
５６０  補助記憶装置
５４３１  インデックス画像作成部
５４３２  ファイル名一覧画像作成部
５４３２  ファイル名一覧示画像表示部
【図１】
0003705239.tif 000002
【図２】
0003705239.tif 000003
【図３】
0003705239.tif 000004
【図４】
0003705239.tif 000005
【図５】
0003705239.tif 000006
【図６】
0003705239.tif 000007
【図７】
0003705239.tif 000008
【図８】
0003705239.tif 000009
【図９】
0003705239.tif 000010
【図１０】
0003705239.tif 000011
【図１１】
0003705239.tif 000012